(57)【要約】【課題】高さの高い貯蔵物を立てた状態で収納可能としながら、貯蔵空間を有効利用できるようにする。【解決手段】棚部材２９は、棚部３１の右側の端部が、貯蔵室７の内面に形成してある上リブ２３と下リブ２５との間に挿入されて支持される。冷蔵庫本体５の内箱１１は、下部が前方に突出する膨出部１９を備え、膨出部１９の縦壁１９ａと横壁１９ｂとの間の角部１９ｃの上面に横溝３７ａが形成される。横溝３７ａに、棚部材２９の後部において下方に延びる後部外周リブ４５ａが、上方から挿入されて支持される。棚部材２９は、棚部３１の左側の端部にて下方に突出する突出部４３が、縦壁１９ａに前方から当接して支持される。【選択図】図５
2020060321.tif 000002
【特許請求の範囲】
【請求項１】
冷蔵庫本体に設けられる貯蔵室と、
前記貯蔵室の左右方向の領域の一部に取り付けられる棚部材と、
前記貯蔵室の内面に設けられ、前記棚部材を支持する支持部と、を有し、
前記棚部材は、貯蔵物を載せる棚部と、前記棚部の左右方向の一方の端部から下方に向けて突出し、下部が前記貯蔵室の底面に対して離間している突出部と、前記棚部の後方側に設けられた係止部と、を備え、
前記支持部は、前記棚部材の左右方向の他方の端部が載置されて前記棚部材の下方への移動を規制する側方支持部と、前記突出部の後部が当接して前記棚部材の下方への移動を規制する後方当接部と、前記係止部を受け入れて前記棚部材の前後方向の移動を規制する後方支持部と、を備えることを特徴とする冷蔵庫。
【請求項２】
前記後方当接部の周辺の前記貯蔵室の内面に、前記突出部が下方から上方に向けて当接することで前記棚部材の上方への移動を規制する突起が設けられていることを特徴とする請求項１に記載の冷蔵庫。
【請求項３】
前記突起は、前記突出部が左右方向に当接することで、前記棚部材の左右方向への移動を規制することを特徴とする請求項２に記載の冷蔵庫。
【請求項４】
前記後方支持部は、前記貯蔵室の後方側の内面から前方に突出する後方突起を備え、
前記棚部材は、前記後方突起の左右両側部のうち少なくとも一方に左右方向から当接して、前記棚部材の左右方向の移動を規制する係止突起を備えることを特徴とする請求項１ないし３のいずれか１項に記載の冷蔵庫。
【請求項５】
前記棚部は、前記側方支持部に支持される側の端部に関し、前方が後方よりも上下方向の高さ寸法が大きく形成されていることを特徴とする請求項１ないし４のいずれか１項に記載の冷蔵庫。
【発明の詳細な説明】
【技術分野】
【０００１】
本発明は、冷蔵庫、特にホテルや病院等の部屋に設置される小型の冷蔵庫に関する。
【背景技術】
【０００２】
ホテルや病院向けの小型の冷蔵庫は、一般家庭用の冷蔵庫に比較して貯蔵空間が極めて小さい。小さい貯蔵空間には貯蔵物を整理してより効率よく収納することが要求される。
【先行技術文献】
【特許文献】
【０００３】
【特許文献１】特開２０１６−１３３２８１号公報
【発明の概要】
【発明が解決しようとする課題】
【０００４】
小型の冷蔵庫において、貯蔵室内の上下方向の適宜位置に、平板状の棚を左右方向の全域にわたり取り付けることで、貯蔵空間を有効利用することがある。しかし、貯蔵物として、高さの高い例えば２Ｌ入りのペットボトルなどを立てた状態で収納する際には、棚が邪魔となって立てた状態での収納が困難となる。棚を外せば、高さの高い貯蔵物を立てた状態で収納できるが、棚がないために貯蔵空間を有効利用することができない。
【０００５】
そこで本発明は、高さの高い貯蔵物を立てた状態で収納可能としながら、貯蔵空間を有効利用できるようにすることを目的としている。
【課題を解決するための手段】
【０００６】
本発明の実施の形態の冷蔵庫は、冷蔵庫本体に設けられる貯蔵室と、前記貯蔵室の左右方向の領域の一部に取り付けられる棚部材と、前記貯蔵室の内面に設けられ、前記棚部材を支持する支持部と、を有し、前記棚部材は、貯蔵物を載せる棚部と、前記棚部の左右方向の一方の端部から下方に向けて突出し、下部が前記貯蔵室の底面に対して離間している突出部と、前記棚部の後方側に設けられた係止部と、を備え、前記支持部は、前記棚部材の左右方向の他方の端部が載置されて前記棚部材の下方への移動を規制する側方支持部と、前記突出部の後部が当接して前記棚部材の下方への移動を規制する後方当接部と、前記係止部を受け入れて前記棚部材の前後方向の移動を規制する後方支持部と、を備える。
【図面の簡単な説明】
【０００７】
【図１】本発明の第１の実施形態を示す冷蔵庫の正面図である。
【図２】図１の冷蔵庫の扉を外した状態の内部構造を示す正面図である。
【図３】図１の冷蔵庫の内箱の斜視図である。
【図４Ａ】図１の冷蔵庫に使用される棚部材の平面図である。
【図４Ｂ】図１の冷蔵庫に使用される棚部材の右側面図である。
【図４Ｃ】図１の冷蔵庫に使用される棚部材の裏側から見た斜視図である。
【図５】図２の棚部材が取り付けられた部位周辺の斜視図である。
【図６】図２の棚部材が取り付けられた部位周辺を下方から見た斜視図である。
【図７】冷蔵庫本体の棚部材を支持する部分を示す斜視図である。
【図８】棚部材の右側端部におけるリブ高さの変化を示す裏側から見た斜視図である。
【図９】冷蔵庫本体の棚部材を支持する部分の断面を含む斜視図である。
【図１０】第２の実施形態を示す、図２に対応する正面図である。
【図１１】図１０のＥ−Ｅ断面図である。
【図１２】図１０の冷蔵庫の内箱の斜視図である。
【発明を実施するための形態】
【０００８】
以下、本発明の第１の実施の形態を図面に基づき説明する。なお、以下の説明において、冷蔵庫１における「左右方向」は、図１に示すように冷蔵庫１を正面から見たときの左右方向で、「前後方向」は、冷蔵庫１の前面側を前、後面側（奥側）を後とした前後方向である。
【０００９】
冷蔵庫１は、例えばホテルや病院などの部屋に設置される小型の冷蔵庫である。図２は、図１の冷蔵庫１の前面に設けてある扉３を省略した内部構造を示している。冷蔵庫１は、冷蔵庫本体５を備え、冷蔵庫本体５の内部に貯蔵室７が形成されている。冷蔵庫本体５は、外側板からなる外箱９と、内側板からなる内箱１１とを有し、外箱９と内箱１１との間に図示しない断熱材を配置した断熱構造体である。扉３も断熱構造体である。
【００１０】
貯蔵室７は、冷蔵庫１の前面側に開口部７ａが形成され、開口部７ａは扉３によって開閉される。扉３は、図１中で右側端部のヒンジ１３を介して左右に開閉する。冷蔵庫本体５は、上壁５ａと、下壁５ｂと、左側壁５ｃと、右側壁５ｄと、後壁５ｅとを備えており、これら各壁に囲まれた内側に貯蔵室７が形成される。上壁５ａ、下壁５ｂ、左側壁５ｃ、右側壁５ｄ、後壁５ｅは、外箱９、内箱１１及び断熱材を含んでいる。
【００１１】
貯蔵室７内の上部に隔壁１５を介して冷却器１７が設けられる。隔壁１５は、冷却器１７側から流下する結露水を受けるもので、前方及び左右両側方から後方の左右方向中央に向けて下がるように傾斜している。隔壁１５が受けた結露水は、受皿１８に流下してから貯蔵室７の外部に排出される。冷却器１７は、上壁５ａ及び右側壁５ｄのそれぞれの内面に支持される。冷蔵庫１は、冷却器１７から発生する冷気を、貯蔵室７内で自然対流によって循環させる直冷式（自然対流式）である。隔壁１５の下方の空間が貯蔵室７となる。
【００１２】
図３に示すように、冷蔵庫本体５の内箱１１は、後壁５ｅの下部において、図３では図示していない外箱９と共に前方に向けて膨出する膨出部１９が形成されている。膨出部１９は、下壁５ｂの後端から立ち上がる縦壁１９ａと、縦壁１９ａの上端から後方に向けて屈曲する水平な横壁１９ｂとを備える。なお、ここでの膨出部１９は、内箱１１と外箱９とを含む冷蔵庫本体５に設けられたものであるとする。
【００１３】
縦壁１９ａと横壁１９ｂとに囲まれた、冷蔵庫本体５の下部後方の外側の領域は、図示しない機械室を構成しており、機械室に圧縮機を配置している。圧縮機は、下壁５ｂの下面及び機械室を下方から覆っている底板の上に固定している。圧縮機で圧縮した冷媒は、機械室内に設けた図示しない凝縮器を経て、前述した冷却器１７に送られる。圧縮機２１、凝縮器及び冷却器１７等は図示しない冷媒配管で接続される。
【００１４】
右側壁５ｄの貯蔵室７の内面には、前後方向に延在する上リブ２３が形成されている。上リブ２３は、横壁１９ｂの上面において後壁５ｅから開口部７ａ付近まで形成されている。上リブ２３の下方には、前後方向に延在する側方支持部としての下リブ２５が形成されている。下リブ２５は、縦壁１９ａから開口部７ａ付近まで形成され、上リブ２３と下リブ２５との間に隙間２７が形成されている。
【００１５】
下リブ２５は、右側壁５ｄに形成された部分の後端から右側壁５ｄに対して離れる方向（左方向）に屈曲する屈曲部２５ａを備え、屈曲部２５ａは縦壁１９ａの前面に形成されている。下リブ２５の上面は、横壁１９ｂの上面よりも、図２に示す棚部材２９の棚部３１の上下方向の厚さにほぼ相当する分だけ下方に位置している。上リブ２３の下面は、横壁１９ｂの上面に対し、ほぼ同等かやや上方に位置している。図３に示す隙間２７に、図２に示すように、棚部３１の右側の端部が挿入される。
【００１６】
膨出部１９の縦壁１９ａと横壁１９ｂとの境界部に位置する角部１９ｃには、二つの傾斜面部３３，３５が形成されている。傾斜面部３３，３５は、水平面に対してほぼ４５度の角度で傾斜している。左側の傾斜面部３３は、貯蔵室７内における左右方向のほぼ中央に位置している。右側の傾斜面部３５は、右側の端部が、下リブ２５の屈曲部２５ａの端部にほぼ対応する位置にある。
【００１７】
二つの傾斜面部３３，３５相互間の角部１９ｃには、後方支持部３７が設けられている。後方支持部３７は、角部１９ｃ近傍の横壁１９ｂの上面に左右方向に貫通する横溝３７ａを備えている。横溝３７ａより前方の角部１９ｃは、傾斜面部３３，３５に対して前方に突出する後方突起３７ｂを構成している。
【００１８】
左側の傾斜面部３３から縦壁１９ａの上部にわたり、前方に向けて突出する突起３９が形成されている。突起３９は、傾斜面部３３において後方支持部３７から離れた左側に位置しており、貯蔵室７における左右方向の中央位置よりやや左側に位置する。突起３９は、上面３９ａ及び下面３９ｂがほぼ水平面であり、上面３９ａの前端と下面３９ｂの前端とを上下方向につなぐ前面３９ｃがほぼ鉛直面である。したがって、上面３９ａ及び下面３９ｂと、前面３９ｃとはほぼ直角である。
【００１９】
次に棚部材２９について説明する。
【００２０】
棚部材２９は、図２に示すように冷蔵庫本体５に取り付けた状態で、左側の端部が貯蔵室７における左右方向の中央位置よりやや左側に位置する。この状態で、棚部材２９より左側の貯蔵室７の空間に、例えば２Ｌ入りのペットボトル４１を立てた状態で貯蔵できる。
【００２１】
棚部材２９は、図４Ａに示すように、平面視で左右方向に長い長方形状の棚部３１を備えている。棚部３１の上に貯蔵物を載せることができる。棚部３１には、前後方向に長い貫通孔３１ａが複数形成されている。図４Ｃに示すように、棚部３１の裏側における貫通孔３１ａの周縁には、リブ３１ｂが形成されている。リブ３１ｂは図２中で下方に突出している。
【００２２】
図２に示すように、棚部材２９は、棚部３１の左側の端部において下方に向けて突出する突出部４３を備えている。突出部４３は、図４Ｂに示すように、側面視で大略三角形状の左側板４３ａと、左側板４３ａに対して離間している右側板４３ｂとを備えている。右側板４３ｂは、左側板４３ａの後方側（図４Ｂ中で右側）に位置して上下方向に長い上下長部分４３ｂ１と、上下長部分４３ｂ１の上端から前方側（図４Ｂ中で左側）に延設されて前後方向に長い前後長部分４３ｂ２とを備えている。
【００２３】
右側板４３ｂの上下長部分４３ｂ１の下部と、左側板４３ａの後方側の下部とが底板４３ｃによりつながっている。図４Ｃに示すように、左側板４３ａと右側板４３ｂとは、前方側においても、前板４３ｄによりつながっている。
【００２４】
棚部材２９を図２、図５のように取り付けた状態で、左側板４３ａと右側板４３ｂとの間の空間に、図３に示した内箱１１の突起３９が入り込む。このとき、左側板４３ａ及び右側板４３ｂは、突起３９の左右両側部に近接しており、底板４３ｃは、突起３９の下面３９ｂに近接している。
【００２５】
棚部材２９を図２、図５のように取り付けた状態で、突出部４３の後部４３ｅが内箱１１の縦壁１９ａに当接する。この場合、後部４３ｅが当接する部分の縦壁１９ａは、棚部材２９の下方への移動を規制する後方当接部４４となる。後部４３ｅは、左側板４３ａ、右側板４３ｂ及び底板４３ｃの縦壁１９ａに対向する部分であり、図４Ｂに示すように、棚部３１の後方側の端部よりもやや前方に位置している。
【００２６】
棚部材２９は、突出部４３が形成された部分を除く棚部３１の外周縁に、下方に向けて突出する外周リブ４５が形成されている。棚部３１は、外周リブ４５と共に前方に向けて凹む二箇所の凹部４７，４９を備えている。二箇所の凹部４７，４９は、棚部材２９の左右方向中心に対して左右両側に位置している。左側の凹部４７は、左側の傾斜面部３３の右側に対応した位置にあり、右側の凹部４９は、右側の傾斜面部３５の左右方向の長さにほぼ対応した位置にある。
【００２７】
二箇所の凹部４７，４９相互間の外周リブ４５を含む棚部３１は、凹部４７，４９に対して後方に突出した形状となる。この突出した形状部分の後部外周リブ４５ａが、内箱１１の横溝３７ａに上方から入り込む係止部となる。図４Ｃに示すように、後部外周リブ４５ａの突出部４３と反対側の端部の内側に、板状の係止突起５１が形成されている。
【００２８】
係止突起５１は、後部外周リブ４５ａを横溝３７ａに入り込ませたときに、図６に示すように、後方突起３７ｂの右側近傍に位置する。このとき、係止突起５１は、図７に示してある後方突起３７ｂの右側部３７ｂ１に当接することで、棚部材２９の左方向への移動を規制する。
【００２９】
内箱１１を樹脂成形する際には、前後方向（図３中の矢印Ａ方向）に離型を行う。このため、内箱１１における上壁５ａ、下壁５ｂ、左側壁５ｃ及び右側壁５ｄは、前方の開口部７ａ側ほど外側に拡がるように傾斜している。同様にして、上リブ２３と下リブ２５との間の隙間２７の間隔も前方ほど拡がるように傾斜している。すなわち、上リブ２３の下面は、前方ほど上方となるよう傾斜し、下リブ２５の上面は前方ほど下方となるよう傾斜している。
【００３０】
このような上リブ２３及び下リブ２５の傾斜に対応して、下リブ２５の上に載置される棚部３１の右側の端部の形状を前後方向に沿って変化させている。具体的には、棚部３１の右側の端部における側部外周リブ４５ｂは、図８に示すように、前方側の上下方向の高さ寸法Ｈ１が、後方側の上下方向の高さ寸法Ｈ２よりも大きくなっている（Ｈ１＞Ｈ２）。これにより、側部外周リブ４５ｂを下リブ２５の上に載せたときに、棚部３１の上面が前下がりなることを抑制できる。
【００３１】
次に、棚部材２９の冷蔵庫本体５に対する着脱方法について説明する。
【００３２】
棚部材２９を冷蔵庫本体５に取り付ける際には、側部外周リブ４５ｂを前方から隙間２７に挿入する。このとき、棚部３１は、後部が前部よりも上方となるよう前後方向にやや傾けた状態とすることで、後部外周リブ４５ａが横溝３７ａに入り込みやすくなる。隙間２７の上下の間隔を、側部外周リブ４５ｂの上下高さよりもやや大きくすることで、棚部３１を前後方向に傾けることができる。
【００３３】
後方突起３７ｂの上部は、図９に示すように面取り３７ｂ２を施してある。このため、棚部材２９を後方へ押し込むときに、後部外周リブ４５ａは、下端が後方突起３７ｂの上部に当接しても、弾性変形しながら面取り３７ｂ２に沿って容易に移動し、横溝３７ａに入り込む。棚部材２９を後方へ押し込むことで、内箱１１の突起３９が突出部４３の内部空間に入り込む。
【００３４】
棚部材２９を冷蔵庫本体５から取り外す際には、棚部材２９を前方へ引き抜けばよいが、このとき、棚部３１は、取り付けるときと同様に、後部が前部よりも上方となるよう前後方向にやや傾けた状態とする。図９に示すように、後方突起３７ｂは、横溝３７ａ側に傾斜部３７ｂ３を形成しているので、後部外周リブ４５ａが傾斜部３７ｂ３に当接しても、弾性変形しながら傾斜部３７ｂ３に沿って容易に移動し、横溝３７ａから取り出せる。傾斜部３７ｂ３と面取り３７ｂ２との間の上部３７ｂ４は断面円弧形状としているので、後部外周リブ４５ａは、断面円弧形状の上部３７ｂ４に沿って容易に移動する。このように、棚部材２９の冷蔵庫本体５に対する着脱作業は極めて容易にできる。
【００３５】
次に、本実施形態の作用効果を説明する。
【００３６】
本実施形態は、冷蔵庫本体５に設けられる貯蔵室７と、貯蔵室７の左右方向の領域の一部に取り付けられる棚部材２９と、貯蔵室７の内面に設けられ、棚部材２９を支持する支持部（下リブ２５、後方支持部３７、後方当接部４４）と、を有する。棚部材２９は、貯蔵物を載せる棚部３１と、棚部３１の左右方向の一方の端部から下方に向けて突出し、下端が貯蔵室の底面に対して離間している突出部４３と、棚部３１の後方側に設けられた後部外周リブ４５ａと、を備える。
【００３７】
支持部は、棚部材２９の側部外周リブ４５ｂが載置されて棚部材２９の下方への移動を規制する下リブ２５と、突出部４３の後部４３ｅが当接して棚部材２９の下方への移動を規制する後方当接部４４と、後部外周リブ４５ａを受け入れて棚部材２９の前後方向の移動を規制する後方支持部３７と、を備える。側部外周リブ４５ｂは、棚部３１の左右方向の他方の端部に対応する位置の貯蔵室７の内面に設けられている。
【００３８】
この場合、棚部材２９は、図２に示すように、貯蔵室７の左右方向の領域の右側の一部に取り付けられるものであるため、棚部材２９の左側の貯蔵室７の空間には、高さの高い貯蔵物である例えば２Ｌ入りのペットボトル４１を立てた状態で収納することができる。
【００３９】
突出部４３は、後部４３ｅが内箱１１の縦壁１９ａに当接することで、棚部３１の左側部分の下方への移動を規制している。このとき、突出部４３は、縦壁１９ａの上部に位置しており、下壁５ｂとの間は空間となっている。このため、突出部４３を含む棚部３１の下方空間が貯蔵物を貯蔵する空間として利用でき、貯蔵空間を有効利用できる。すなわち、本実施形態は、高さの高い貯蔵物を立てた状態で収納可能としながら、貯蔵空間を有効利用することができる。
【００４０】
本実施形態は、後方当接部４４の周辺の貯蔵室７における縦壁１９ａの内面に、突出部４３の底板４３ｃが下方から上方に向けて当接することで棚部材２９の上方への移動を規制する突起３９が設けられている。この場合、例えば、棚部３１の下方の空間に対して貯蔵物の出し入れを行う際に、貯蔵物やユーザの手が棚部材２９に接触して棚部材２９を上方へ押し上げる力が作用することがある。このとき、突出部４３の底板４３ｃが突起３９の下面３９ｂに下方から当接することで、棚部材２９は、上方への移動が規制され、内箱１１の支持部からの外れが抑制される。
【００４１】
本実施形態の突起３９は、突出部４３の左側板４３ａ及び右側板４３ｂが、左右方向に当接することで、棚部材２９の左右方向への移動を規制する。この場合、突起３９によって、棚部材２９の上方への移動規制に加えて左右方向の移動規制も行える。
【００４２】
本実施形態の後方支持部３７は、貯蔵室７の後方側の内面から前方に突出する後方突起３７ｂを備え、棚部材２９は、後方突起３７ｂの右側部３７ｂ１に右方向から当接して、棚部材２９の左方向への移動を規制する係止突起５１を備える。この場合、係止突起５１が後方突起３７ｂの右側部３７ｂ１に当接することで、棚部材２９の左方向への移動を規制でき、棚部材２９の安定した取付状態を確保できる。
【００４３】
なお、上記した係止突起５１は、図４Ｃに示したように、後部外周リブ４５ａの突出部４３と反対側の端部の内側に設けているが、係止突起５１と同様な係止突起を、後部外周リブ４５ａの突出部４３側の端部の内側に追加して設けてもよい。この場合の係止突起は、後方突起３７ｂの左側部３７ｂ５（図７）に左方向から当接して、棚部材２９の右方向への移動を規制する。
【００４４】
本実施形態の棚部３１は、下リブ２５に支持される側の端部の側部外周リブ４５ｂに関し、前方が後方よりも上下方向の高さ寸法が大きく形成されている。この場合、棚部材２９を内箱１１に取り付けたときに、棚部３１の前部が後部よりも上方に位置するように前後方向に沿って僅かに傾斜した状態となる。これにより、棚部３１は、貯蔵物を載せたときの重量によって前部が後部に対して多少下方に変形しても、前下がりとなることを抑制でき、貯蔵物を安定して載せることができる。
【００４５】
次に、第２の実施形態について説明する。
【００４６】
第２の実施形態は、第１の実施形態の冷蔵庫１において、図１０及び図１１に示すように、膨出部１９の横壁１９ｂの上側に位置する上側貯蔵領域７Ａ、換言すれば機械室の上側に位置する上側貯蔵領域７Ａに、棚部材２９を取り付けることができる。この場合、図１２にも示すように、内箱１１の右側壁５ｄの内面に、第２上リブ１０９及び第２下リブ１１１を形成する。
【００４７】
第２上リブ１０９及び第２下リブ１１１は、横壁１９ｂと隔壁１５との間にあって、上側貯蔵領域７Ａ内の上下方向ほぼ中央に位置する。第２上リブ１０９及び第２下リブ１１１は、前後方向の長さが同等であり、内箱１１の後壁５ｅから前方に向けて延在し、前端が膨出部１９の縦壁１９ａよりもやや後方に位置している。図１０に示すように、第２上リブ１０９及び第２下リブ１１１の正面視での形状は、上リブ２３及び下リブ２５の正面視での形状とほぼ同等であり、第２上リブ１０９と第２下リブ１１１との間に、上リブ２３と下リブ２５との間の隙間２７と同様な第２隙間１１３が形成されている。
【００４８】
図１０に示すように、内箱１１の後壁５ｅの左右方向中央には、前方に向けて突出する突部１１５が形成され、突部１１５の前側に前述した受皿１８が設けられている。受皿１８が受ける冷却器１１側からの結露水は、突部１１５の裏側に設けてある図１１に示す配管１１７を通して貯蔵室７の外部に排出される。
【００４９】
突部１１５は、上側貯蔵領域７Ａ内で上下方向に延在しており、図１１の断面形状で示すように、前側（図１１中で下側）程左右方向の幅が狭くなっている。突部１１５の先端側の断面形状にほぼ整合するように、棚部材２９の切欠部４７の凹形状が形成されている。なお、図１０及び図１１に示す棚部材２９は、切欠部４７の位置が、図２及び図４Ａに示す棚部材２９に対し左方向にずれ、かつ、左右方向の長さも長くなっており、これにより突部１１５と切欠部４７とが整合する。
【００５０】
したがって、棚部材２９を上側貯蔵領域７Ａで使用する場合には、側部外周リブ４５ｂを前方から第２隙間１１３に挿入しながら、棚部材２９を後方へ押し込むと、図１１に示すように切欠部４７が突部１１５に整合する。このとき棚部材２９は、突出部４３の下端が膨出部１９の横壁１９ｂ上に接触することで、ほぼ水平な状態で支持される。また、突部１１５の先端側の一部のみが切欠部４７に入り込むので、棚部材２９の後端と内箱１１の後壁５eとの間には後壁隙間１１９が形成される。
【００５１】
第２の実施形態では、棚部材２９の切欠部４７を突部１１５に整合させて嵌め合わせることで、突部１１５が大きな邪魔になることなく、上側貯蔵領域７Ａにおいて棚部材２９を内箱１１に安定して支持させることができる。このとき、冷却器１７から流下する冷気の一部は、後壁隙間１１９を通って膨出部１９の横壁１９ｂ上に流下し、横壁１９ｂ上に配置した貯蔵物をより効率よく冷却できる。
【００５２】
第２の実施形態の棚部材２９は、第１の実施形態の図２に示す棚部材２９と同様に、上リブ２３、下リブ２５及びフック３７ｂを利用して取り付けることができる。このため、棚部材２９は、図１０及び図１１に示すような上側貯蔵領域７Ａで使用する場合と、図２と同様の位置で使用する場合とのいずれかを選択することができる。したがって、棚部材２９を貯蔵室７内で取り付けて使用する際のバリエーションが増加し、使い勝手が向上する。
【００５３】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００５４】
例えば、上記した棚部材２９は、貯蔵室７内における左右方向の領域の右側に寄せて取り付けているが、左側に寄せて取り付けるようにしてもよい。棚部材２９を貯蔵室７の左側に取り付ける場合には、突出部４３を棚部３１の右側端部に形成し、上リブ２３及び下リブ２５や第２上リブ１０９と第２下リブ１１１を、内箱１１の左側壁５ｃに形成するなど、左右の位置関係が逆となる。
【００５５】
上記した実施形態では、ホテルや病院などの部屋に設置される小型の冷蔵庫を例にして説明したが、一般に家庭で使用される通常の冷蔵庫にも本発明を適用できる。
【符号の説明】
【００５６】
５  冷蔵庫本体
７  貯蔵室
２５  下リブ（側方支持部、支持部）
２９  棚部材
３１  棚部材の棚部
３７  内箱の後方支持部（支持部）
３７ｂ  後方支持部の後方突起
３９  内箱の突起
４３  棚部材の突出部
４３ｅ  突出部の後部
４４  内箱の後方当接部（支持部）
４５ａ  棚部材の後部外周リブ（係止部）
５１  棚部材の係止突起
【図１】
2020060321.tif 000003
【図２】
2020060321.tif 000004
【図３】
2020060321.tif 000005
【図４Ａ】
2020060321.tif 000006
【図４Ｂ】
2020060321.tif 000007
【図４Ｃ】
2020060321.tif 000008
【図５】
2020060321.tif 000009
【図６】
2020060321.tif 000010
【図７】
2020060321.tif 000011
【図８】
2020060321.tif 000012
【図９】
2020060321.tif 000013
【図１０】
2020060321.tif 000014
【図１１】
2020060321.tif 000015
【図１２】
2020060321.tif 000016